(57)【要約】【課題】ＳＩＭカードの通信容量を増やす際のユーザの利便性を高める。【解決手段】通信容量増加システム（１）の接続要求受信手段（１０Ｂ）は、通信容量が制限されたＳＩＭカード（４）を含む通信端末（３）から、ＳＩＭカード（４）の通信容量を増やすためのコンテンツを指定可能なウェブサイトへの接続要求を受信する。表示データ送信手段（１０Ｃ）は、接続要求受信手段（１０Ｂ）が接続要求を受信した場合に、通信端末（３）に対し、ウェブサイトの表示データを送信する。識別情報受信手段（１０Ｄ）は、通信端末から、ウェブサイトにおける指定に応じて送信された識別情報を受信する。指示送信手段（１０Ｅ）は、識別情報受信手段（１０Ｄ）が識別情報を受信したことに応じて、ＳＩＭカード（４）の通信容量を管理する管理システムに対し、ＳＩＭカード（４）の通信容量を増やすための指示を送信する。【選択図】図３
2019012969.tif 000002
【特許請求の範囲】
【請求項１】
通信容量が制限されたＳＩＭカードを含む通信端末から、前記ＳＩＭカードの通信容量を増やすためのコンテンツを指定可能なウェブサイトへの接続要求を受信する接続要求受信手段と、
前記接続要求受信手段が前記接続要求を受信した場合に、前記通信端末に対し、前記ウェブサイトの表示データを送信する表示データ送信手段と、
前記通信端末から、前記ウェブサイトにおける指定に応じて送信された識別情報を受信する識別情報受信手段と、
前記識別情報受信手段が前記識別情報を受信したことに応じて、前記ＳＩＭカードの通信容量を管理する管理システムに対し、前記ＳＩＭカードの通信容量を増やすための指示を送信する指示送信手段と、
を含むことを特徴とする通信容量増加システム。
【請求項２】
前記識別情報受信手段は、前記ウェブサイトにおける指定に応じて送信されたコンテンツ識別情報を受信し、
前記通信容量増加システムは、
前記コンテンツ識別情報に基づいて、前記コンテンツを管理する外部システムに対し、前記通信端末の代わりに、当該コンテンツのリクエストを送信するリクエスト代理送信手段と、
前記外部システムから、前記通信端末の代わりに、前記リクエストに対するレスポンスを受信するレスポンス代理受信手段と、
前記通信端末に対し、前記レスポンス代理受信手段が前記通信端末の代わりに受信した前記レスポンスを送信するレスポンス送信手段と、
を含むことを特徴とする請求項１に記載の通信容量増加システム。
【請求項３】
前記通信容量増加システムは、前記管理システムを含み、
前記管理システムは、前記ＳＩＭカードの通信容量の残量が基準値未満になった場合に、前記ＳＩＭカードを利用したデータ通信を制限する通信制限手段を含み、
前記通信制限手段は、前記ＳＩＭカードの通信容量の残量が前記基準値未満であったとしても、前記レスポンスによって前記コンテンツを前記通信端末に表示させるためのデータ通信は許可する、
ことを特徴とする請求項２に記載の通信容量増加システム。
【請求項４】
前記通信容量増加システムは、
前記管理システムから、前記ＳＩＭカードの通信容量を増やすための処理の実行結果を受信する実行結果受信手段と、
前記通信端末に対し、前記実行結果を送信する実行結果送信手段と、
を更に含み、
前記表示データは、前記処理が成功したことを示す前記実行結果の受信に応じて、前記コンテンツを管理する外部システムに対し、当該コンテンツのリクエストを送信するように設定されている、
ことを特徴とする請求項１〜３の何れかに記載の通信容量増加システム。
【請求項５】
前記通信容量増加システムは、前記管理システムを含み、
前記管理システムは、前記ＳＩＭカードの通信容量の残量が基準値未満になった場合に前記ＳＩＭカードを利用したデータ通信を制限する通信制限手段を含み、
前記通信制限手段は、前記ＳＩＭカードの通信容量の残量が前記基準値未満であったとしても、前記ウェブサイトを前記通信端末に表示させるためのデータ通信は許可する、
ことを特徴とする請求項１〜４の何れかに記載の通信容量増加システム。
【請求項６】
前記通信容量増加システムは、
所定期間内における通信容量の増加量に最大値を設定する最大値設定手段と、
前記所定期間内における通信容量の増加量が最大値に達したかを判定する判定手段と、
前記判定手段により最大値に達したと判定された場合に、前記指示送信手段による前記指示を制限する指示制限手段と、
を更に含むことを特徴とする請求項１〜５の何れかに記載の通信容量増加システム。
【請求項７】
前記最大値設定手段は、前記所定期間よりも前の期間内における前記ＳＩＭカードの使用状況に基づいて、前記最大値を設定する、
ことを特徴とする請求項６に記載の通信容量増加システム。
【請求項８】
通信容量が制限されたＳＩＭカードを含む通信端末から、前記ＳＩＭカードの通信容量を増やすためのコンテンツを指定可能なウェブサイトへの接続要求を受信する接続要求受信ステップと、
前記接続要求受信ステップで前記接続要求を受信した場合に、前記通信端末に対し、前記ウェブサイトの表示データを送信する表示データ送信ステップと、
前記通信端末から、前記ウェブサイトにおける指定に応じて送信されたコンテンツ識別情報を受信する識別情報受信ステップと、
前記識別情報受信ステップで前記コンテンツ識別情報を受信したことに応じて、前記ＳＩＭカードの通信容量を管理する管理システムに対し、前記ＳＩＭカードの通信容量を増やすための指示を送信する指示送信ステップと、
を含むことを特徴とする通信容量増加方法。
【請求項９】
通信容量が制限されたＳＩＭカードを含む通信端末から、前記ＳＩＭカードの通信容量を増やすためのコンテンツを指定可能なウェブサイトへの接続要求を受信する接続要求受信手段、
前記接続要求受信手段が前記接続要求を受信した場合に、前記通信端末に対し、前記ウェブサイトの表示データを送信する表示データ送信手段、
前記通信端末から、前記ウェブサイトにおける指定に応じて送信されたコンテンツ識別情報を受信する識別情報受信手段、
前記識別情報受信手段が前記コンテンツ識別情報を受信したことに応じて、前記ＳＩＭカードの通信容量を管理する管理システムに対し、前記ＳＩＭカードの通信容量を増やすための指示を送信する指示送信手段、
としてコンピュータを機能させるためのプログラム。
【発明の詳細な説明】
【技術分野】
【０００１】
本発明は、通信容量増加システム、通信容量増加方法、及びプログラムに関する。
【背景技術】
【０００２】
近年、通信技術の発達に伴い、ＳＩＭ（Subscriber Identity Module）カードを装着した通信端末が普及している。特許文献１には、電話番号を書き込んだ状態でＳＩＭカードを販売することによって、ＳＩＭカードの購入後すぐに通信端末を使用可能にするシステムが記載されている。
【先行技術文献】
【特許文献】
【０００３】
【特許文献１】特開２００７−１１６２１２号公報
【発明の概要】
【発明が解決しようとする課題】
【０００４】
上記のような技術では、ＳＩＭカードの通信容量に制限を設けておき、通信容量がなくなった場合に、データ通信をさせないように制限するシステムも知られている。このようなシステムでは、ユーザが課金用のウェブサイトにアクセスして課金した場合に、ＳＩＭカードの通信容量を増やすものも存在するが、ユーザが決済情報を入力する必要があり、手軽に通信容量を増加させることができないので、ユーザは不便さを感じていた。
【０００５】
本発明は上記課題に鑑みてなされたものであって、その目的は、ＳＩＭカードの通信容量を増やす際のユーザの利便性を高めることである。
【課題を解決するための手段】
【０００６】
上記課題を解決するために、本発明に係る通信容量増加システムは、通信容量が制限されたＳＩＭカードを含む通信端末から、前記ＳＩＭカードの通信容量を増やすためのコンテンツを指定可能なウェブサイトへの接続要求を受信する接続要求受信手段と、前記接続要求受信手段が前記接続要求を受信した場合に、前記通信端末に対し、前記ウェブサイトの表示データを送信する表示データ送信手段と、前記通信端末から、前記ウェブサイトにおける指定に応じて送信された識別情報を受信する識別情報受信手段と、前記識別情報受信手段が前記識別情報を受信したことに応じて、前記ＳＩＭカードの通信容量を管理する管理システムに対し、前記ＳＩＭカードの通信容量を増やすための指示を送信する指示送信手段と、を含むことを特徴とする。
【発明の効果】
【０００７】
本発明によれば、ＳＩＭカードの通信容量を増やす際のユーザの利便性を高めることができる。
【図面の簡単な説明】
【０００８】
【図１】通信容量増加システムの全体構成を示す図である。
【図２】無料チャージが行われる場合の通信端末の画面遷移図である。
【図３】通信容量増加システムで実現される機能の一例を示す機能ブロック図である。
【図４】通信容量増加システムにおいて実行される処理の一例を示すフロー図である。
【図５】実施形態２の機能ブロック図である。
【図６】実施形態２の通信容量増加システムにおいて実行される処理の一例を示すフロー図である。
【図７】変形例における機能ブロック図である。
【発明を実施するための形態】
【０００９】
［１．実施形態１］
以下、本発明に関わる通信容量増加システムの実施形態の例を説明する。
【００１０】
［１−１．通信容量増加システムの全体構成］
図１は、通信容量増加システムの全体構成を示す図である。図１に示すように、本実施形態の通信容量増加システム１は、ウェブサイト提供システム１０及びＭＶＮＯ（Mobile Virtual Network Operator）システム１１を含み、外部システム２及び通信端末３の各々と、インターネットなどのネットワークを介して通信可能である。なお、図１では、外部システム２及び通信端末３を１つずつ示しているが、これらは複数存在してもよい。例えば、外部システム２は、後述するコンテンツの管理者の数だけ存在してもよい。
【００１１】
通信容量増加システム１は、例えば、ＭＶＮＯが管理するシステムである。ＭＶＮＯは、自らは回線網と基地局等を保有せず、ＭＮＯ（Mobile Network Operator）が保有する回線網と基地局等を利用することによって、ユーザに移動通信サービスを提供する電気通信事業者である。ここでのユーザとは、移動通信サービスのエンドユーザ（ＳＩＭカード４の契約者・電話の加入者）を意味する。なお、本実施形態では、通信容量増加システム１がＭＶＮＯの管理下にある場合を説明するが、通信容量増加システム１は、ＭＮＯの管理下にあってもよいし、ＭＶＮＯでもＭＮＯでもない第三者の管理下にあってもよい。
【００１２】
ウェブサイト提供システム１０は、少なくとも１つのサーバコンピュータを含む。当該サーバコンピュータは、制御部、記憶部、及び通信部を含む。制御部は、少なくとも一つのマイクロプロセッサを含む。制御部は、記憶部に記憶されたプログラムやデータに従って処理を実行する。記憶部は、主記憶部及び補助記憶部を含む。例えば、主記憶部はＲＡＭなどの揮発性メモリであり、補助記憶部は、ＲＯＭ、ＥＥＰＲＯＭ、フラッシュメモリ、又はハードディスクなどの不揮発性メモリである。通信部は、有線通信又は無線通信用の通信インタフェースである。
【００１３】
ＭＶＮＯシステム１１は、本発明に係る管理システムの一例であり、少なくとも１つのサーバコンピュータを含む。当該サーバコンピュータのハードウェア構成は、ウェブサイト提供システム１０のサーバコンピュータと同様であってよく、例えば、制御部、記憶部、及び通信部を含む。例えば、ＭＶＮＯシステム１１は、ＢＳＳ（Business Support System）、ＨＳＳ／ＨＬＲ（Home Subscriber Server／Home Location Register）、及びＥＰＣ（Evolved Packet Core）を含む。ＢＳＳは、ＭＶＮＯの業務支援システムである。ＨＳＳ／ＨＬＲは、通信を許可するユーザを認識するためのシステムであり、ユーザに関する各種データベースを管理する。ＥＰＣは、ＬＴＥ(Long Term Evolution)網を利用可能にするネットワーク装置群である。例えば、ＢＳＳは、ＭＶＮＯの管理者の操作に基づいて、ＳＩＭカード４に関する各種設定処理を実行する。また例えば、ＨＳＳ／ＨＬＲやＥＰＣは、アクティベートが済んでいないＳＩＭカード４を装着した通信端末３をアクティベート用サイトに転送したり、通信容量がなくなったＳＩＭカード４や有効期限の過ぎたＳＩＭカード４を利用したデータ通信を制限したりする。
【００１４】
外部システム２は、少なくとも１つのサーバコンピュータを含む。当該サーバコンピュータのハードウェア構成は、ウェブサイト提供システム１０のサーバコンピュータと同様であってよく、例えば、制御部、記憶部、及び通信部を含む。外部システム２は、コンテンツを管理するシステムである。コンテンツとしては、電子的にユーザに提供可能なものであればよく、例えば、広告、観光情報やニュースなどの記事、動画、画像、クーポン、ソーシャルネットワーキングサービス、又は所定のアプリケーションなどである。また、コンテンツは、例えば、ホテル等の宿泊施設、レストラン等の飲食店、レジャー施設、観光ツアーやアクティビティなどの予約が可能な予約システムのようなものであってもよい。
【００１５】
通信端末３は、ユーザが操作するコンピュータであり、例えば、携帯電話（スマートフォンを含む）、携帯情報端末（タブレット型コンピュータを含む）、又はパーソナルコンピュータ等である。通信端末３は、制御部、記憶部、通信部、操作部、及び表示部を含む。制御部、記憶部、及び通信部のハードウェア構成は、ウェブサイト提供システム１０のサーバコンピュータと同様であってよい。操作部は、入力デバイスであり、例えば、タッチパネルやマウス等のポインティングデバイス、キーボード、又はボタン等である。表示部は、例えば、液晶表示部又は有機ＥＬ表示部等である。また、通信端末３は、ＳＩＭカードスロットを含み、ＳＩＭカード４を着脱可能となっている。
【００１６】
ＳＩＭカード４は、携帯電話の加入者を特定するための情報などが記録されるＩＣカードである。ＳＩＭカード４は、制御部と記憶部を含む。ＳＩＭカード４の制御部と記憶部のハードウェア構成は、それぞれウェブサイト提供システム１０の制御部と記憶部と同様である。ＳＩＭカード４は、ＳＩＭカードスロットを介して通信端末３とデータ入出力が可能となっている。
【００１７】
ＳＩＭカード４の記憶部は、ＳＩＭカード４自身のシリアル番号（個体識別番号）、ＩＭＳＩ（International Mobile Subscriber Identity）、及びＭＳＩＳＤＮ（Mobile Subscriber Integrated Services Digital Network Number又はMobile Station International Subscriber Directory Number）といった情報を記憶する。ＩＭＳＩは、携帯電話の加入者に割り当てられる一意な識別番号である。ＭＳＩＳＤＮは、ＳＩＭカード４に割り当てられた電話番号である。本実施形態では、データ通信専用のＳＩＭカード４（例えば、０２０番号帯のＭＳＩＳＤＮが割り当てられたＳＩＭカード）が用いられる場合を説明するが、通話も可能なＳＩＭカード４（例えば、０７０／０８０／０９０番号帯のＭＳＩＳＤＮが割り当てられたＳＩＭカード）が用いられてもよい。
【００１８】
なお、上記説明した各コンピュータの記憶部に記憶されるものとして説明するプログラム及びデータは、ネットワークを介して供給されるようにしてもよい。また、各コンピュータのハードウェア構成は、上記の例に限られず、種々のハードウェアを適用可能である。例えば、コンピュータ読み取り可能な情報記憶媒体を読み取る読取部（例えば、光ディスクドライブやメモリカードスロット）や外部機器とデータの入出力をするための入出力部（例えば、ＵＳＢポート）が含まれていてもよい。例えば、情報記憶媒体に記憶されたプログラムやデータが読取部や入出力部を介して供給されるようにしてもよい。
【００１９】
［１−２．通信容量増加システムで実行される処理の概要］
次に、通信容量増加システム１で実行される処理の概要を説明する。ＭＶＭＯは、ユーザにＳＩＭカード４を付与し、自社の移動通信サービスを提供する。ＳＩＭカード４は、有償で配布されてもよいが、本実施形態では無償で配布されるものとする。例えば、外国人旅行客などのユーザが来日前にＳＩＭカード４の利用申込を行うと、ＭＶＮＯは、データ通信専用のＭＳＩＳＤＮが書き込まれたＳＩＭカード４を郵送で送ったり、来日後に店頭で引き渡したりする。なお、ユーザは、外国人旅行客に限られず、国内在住のユーザであってもよいし、ビジネス目的で来日した外国人であってもよい。
【００２０】
ユーザは、ＳＩＭカード４を受け取ると、そのＳＩＭカード４の利用を開始する際に、データ通信機能を有効化する（データ通信機能の制限を解除する）ためのアクティベートを行う。例えば、ユーザが受取ったばかりのＳＩＭカード４は、ＭＶＮＯの管理下のアクティベート用サイトにしかアクセスできないようになっている。例えば、ＭＶＮＯシステム１１内に、アクティベート前のＳＩＭカード４のＩＭＳＩ又はＭＳＩＳＤＮが記憶されており、当該ＩＭＳＩ又はＭＳＩＳＤＮを有するＳＩＭカード４からの接続要求を受け付けた場合は、通信端末３はアクティベート用サイトに転送される。なお、通信端末３からの接続要求を直接受け付けるのは、ＭＮＯが管理するＭＮＯシステムであり、ＭＮＯシステムの制御により、通信端末３の接続要求がＭＶＮＯシステム１１に転送される。このため、ＭＶＮＯシステム１１は、ＭＮＯシステムを介して、通信端末３の接続要求を受け付けることになる。
【００２１】
ユーザがアクティベート用サイトで所定の情報（例えば、ユーザの氏名・住所・連絡先など）を入力すると、ＳＩＭカード４のアクティベートが完了する。アクティベートが完了すると、ユーザは、ＳＩＭカード４のデータ通信機能を利用して、例えば、任意のウェブサイトに接続したりメールなどのメッセージを送受信したりすることができるようになる。
【００２２】
本実施形態のＳＩＭカード４は、通信容量が制限されている。通信容量は、データの通信量であり、ある一定期間に通信したデータ量である。例えば、ＳＩＭカード４は、６日間で最大３ＧＢまで使用できる、といったように通信容量が制限されている。ここで、アクティベートでは、ＳＩＭカード４の初期の通信容量をチャージするようにしてもよい。例えば、アクティベートの際に、初期容量として２００ＭＢの通信容量を付与することができる。チャージとは、通信容量の残量を増やすことである。通信容量の残量がなくなると、ＳＩＭカード４のデータ通信機能が制限され、ＭＶＮＯが管理する所定のウェブサイト（以降、サービスサイトという。）にしか接続できない状態となる。サービスサイトは、サービスの各種設定やコンテンツ一覧などを提供するポータルサイトとして機能することができる。なお、サービスサイトは、１つだけでなく、複数存在してもよい。
【００２３】
ＳＩＭカード４の通信容量は、有料でチャージできてもよいが、本実施形態では、ユーザが広告や記事などのコンテンツを表示させることにより、ＳＩＭカード４の通信容量を無料でチャージ（以降、無料チャージという。）することができる。無料チャージは、必ずしも通信容量の残量がなくなったときに行う必要はなく、残量に余裕があるときに行ってもよい。ユーザは、サービスサイトから所定の操作を行い、コンテンツを表示させることで無料チャージをすることができる。
【００２４】
図２は、無料チャージが行われる場合の通信端末３の画面遷移図である。図２に示すように、通信端末３の表示部には、サービスサイトＳＳが表示される。サービスサイトＳＳは、コンテンツの検索をするための入力フォームが表示される（図２のＳＳ１の状態）。検索条件としては、任意の情報を入力可能であり、例えば、コンテンツに係る地域やカテゴリを入力可能である。ユーザがコンテンツの検索条件を入力すると、当該検索条件に合致したコンテンツ一覧がサービスサイトＳＳに表示される（図２のＳＳ２の状態）。コンテンツ一覧には、少なくとも１つのコンテンツのサムネイル等が表示される。
【００２５】
コンテンツ一覧は、無料チャージが可能なコンテンツだけでなく、特にチャージに関係のないコンテンツが含まれていてもよい。これらが混在する場合には、コンテンツ一覧において、無料チャージが可能なコンテンツを識別可能としてもよい。例えば、図２の例では、各コンテンツのサムネイルの下部に、コンテンツに係る名称が表示されており、その横には、無料チャージが可能であることを示すマークが表示されている。無料チャージが可能なコンテンツをユーザが指定すると、コンテンツの内容を示すコンテンツ画面Ｃが通信端末３に表示され、無料チャージが完了する。ここで、指定するとは、例えば、コンテンツ一覧において表示された複数のコンテンツのうち、いずれかのコンテンツを選択してタップする操作を行うことをいう。なお、図２に示すように、コンテンツ画面Ｃからレストラン・宿泊施設・レジャー施設などの予約が可能となっていてもよい。更に、これらの予約が完了したことに応じて無料チャージが可能となってもよい。
【００２６】
以上説明したように、本実施形態の通信容量増加システム１では、コンテンツ一覧のうち、ユーザが指定したコンテンツを通信端末３に表示させることによって無料チャージが完了し、ＳＩＭカードの通信容量を増やす際のユーザの利便性を高めるようになっている。以降、通信容量増加システム１が有する構成の詳細を説明する。
【００２７】
［１−３．通信容量増加システムにおいて実現される機能］
図３は、通信容量増加システム１で実現される機能の一例を示す機能ブロック図である。ここでは、ウェブサイト提供システム１０及びＭＶＮＯシステム１１の各々で実現される機能を順に説明する。
【００２８】
［１−３−１．ウェブサイト提供システムにおいて実現される機能］
図３に示すように、ウェブサイト提供システム１０では、データ記憶部１０Ａ、接続要求受信部１０Ｂ、表示データ送信部１０Ｃ、識別情報受信部１０Ｄ、指示送信部１０Ｅ、実行結果受信部１０Ｆ、リクエスト代理送信部１０Ｇ、レスポンス代理受信部１０Ｈ、及びレスポンス送信部１０Ｉが実現される。
【００２９】
［データ記憶部］
データ記憶部１０Ａは、ウェブサイト提供システム１０内のサーバコンピュータの記憶部を主として実現される。データ記憶部１０Ａは、通信端末３にサービスサイトを表示させるためのウェブサイトデータベースを記憶する。ウェブサイトデータベースは、サービスサイトの表示データそのものが格納されていてもよいし、当該表示データを生成するために必要なデータが格納されていてもよい。
【００３０】
表示データとは、通信端末３においてサービスサイトを表示させるためのデータであればよく、例えば、ＨＴＭＬデータやＸＭＬデータなどの任意の形式のデータを適用可能である。また、表示データには、通信端末３で実行させる処理を示すスクリプトが含まれていてもよい。スクリプトとしては、ＪａｖａＳｃｒｉｐｔ（登録商標）やＰｅｒｌ（登録商標）などの任意の言語のスクリプトを適用可能である。
【００３１】
表示データを生成するために必要なデータとしては、例えば、コンテンツを識別するコンテンツ識別情報、コンテンツのサムネイル、コンテンツに対応するテキスト、及びリンク情報などであってよい。コンテンツ識別情報としては、コンテンツを識別可能な情報であればよく、例えば、コンテンツを一意に識別するＩＤであってもよいし、コンテンツのリンク（ＵＲＬ）であってもよい。リンク情報としては、外部システム２のＩＰアドレスやコンテンツのＵＲＬを用いればよい。
【００３２】
なお、データ記憶部１０Ａが記憶するデータは、上記の例に限られない。例えば、データ記憶部１０Ａは、外部システム２のＩＰアドレスやサーバ名などの情報を記憶してもよい。また例えば、データ記憶部１０Ａは、ＳＩＭカード４に関する情報を記憶してもよい。ＳＩＭカード４に関する情報としては、ＳＩＭカード４の識別情報（例えば、ＩＭＳＩ又はＭＳＩＳＤＮ）、ユーザが申込時又はアクティベート時に入力した情報などが用いられるようにしてよい。
【００３３】
［接続要求受信部］
接続要求受信部１０Ｂは、ウェブサイト提供システム１０内のサーバコンピュータの制御部及び通信部を主として実現される。接続要求受信部１０Ｂは、通信容量が制限されたＳＩＭカード４を含む通信端末３から、ＳＩＭカード４の通信容量を増やすためのコンテンツを指定可能なサービスサイトへの接続要求を受信する。接続要求は、通信プロトコルで定められた所定形式の情報が送信されることで行われるようにすればよく、例えば、ＨＴＴＰであれば「ＨＴＴＰ  ＧＥＴ  リクエスト」と呼ばれる要求であってよい。サービスサイトへの接続要求は、ユーザが所定の操作を行った場合に通信端末３から送信されるようにすればよく、例えば、サービスサイトのリンクをユーザが指定した場合に送信されるようにすればよい。
【００３４】
［表示データ送信部］
表示データ送信部１０Ｃは、ウェブサイト提供システム１０内のサーバコンピュータの制御部及び通信部を主として実現される。表示データ送信部１０Ｃは、接続要求受信部１０Ｂが接続要求を受信した場合に、通信端末３に対し、サービスサイトの表示データを送信する。例えば、サービスサイトの表示データそのものがウェブサイトデータベースに格納されている場合には、表示データ送信部１０Ｃは、通信端末３に対し、当該表示データをそのまま送信する。また例えば、サービスサイトの表示データを生成するためのデータがウェブサイトデータベースに格納されている場合には、表示データ送信部１０Ｃは、当該データに基づいてサービスサイトの表示データを生成し、通信端末３に対し、当該表示データを送信する。
【００３５】
本実施形態では、表示データには、少なくとも１つのコンテンツ識別情報が含まれているものとする。即ち、表示データには、コンテンツ一覧で選択可能なコンテンツのコンテンツ識別情報が含まれている。表示データにコンテンツ識別情報を含めることによって、ユーザが指定したコンテンツを特定することができるようになる。
【００３６】
また、表示データ送信部１０Ｃは、ウェブサイト提供システム１０が管理する複数のコンテンツのうち、サービスサイトのコンテンツ一覧に表示させるものを、所定条件に基づいて選択してもよい。所定条件としては、ユーザが入力した検索条件であってもよいし、通信端末３の位置情報であってもよい。表示データ送信部１０Ｃは、当該複数のコンテンツのうちの少なくとも１つがコンテンツ一覧に含まれるように表示データを生成すればよい。
【００３７】
［識別情報受信部］
識別情報受信部１０Ｄは、ウェブサイト提供システム１０内のサーバコンピュータの制御部及び通信部を主として実現される。識別情報受信部１０Ｄは、通信端末３から、サービスサイトにおける指定に応じて送信された識別情報を受信する。識別情報は、ユーザがコンテンツを指定したことを少なくとも識別可能な情報であればよく、例えば、サービスサイトでユーザが指定した事実を識別する情報であってもよいし、ユーザが指定したコンテンツを識別するコンテンツ識別情報であってもよい。
【００３８】
本実施形態では、識別情報受信部１０Ｄは、通信端末３から、サービスサイトにおける指定に応じて送信されたコンテンツ識別情報を受信する。先述したように、コンテンツ識別情報は表示データに含まれているので、通信端末３は、サービスサイトのコンテンツ一覧からユーザが選択したコンテンツ識別情報を特定可能であり、ウェブサイト提供システム１０に対し、当該コンテンツ識別情報を送信する。
【００３９】
［指示送信部］
指示送信部１０Ｅは、ウェブサイト提供システム１０内のサーバコンピュータの制御部及び通信部を主として実現される。指示送信部１０Ｅは、識別情報受信部１０Ｄが識別情報（本実施形態では、コンテンツ識別情報）を受信したことに応じて、ＳＩＭカード４の通信容量を管理するＭＶＮＯシステム１１に対し、ＳＩＭカード４の通信容量を増やすための指示を送信する。当該指示は、所定のデータ形式で行われるようにすればよく、例えば、ウェブサイト提供システム１０とＭＶＮＯシステム１１との間でＡＰＩを利用して連携する場合には、所定のルールで定められた命令を送信することになる。当該命令は、無料チャージを実行する旨を示す情報である。以降、指示送信部１０Ｅが送信する指示を無料チャージ要求という。
【００４０】
例えば、指示送信部１０Ｅは、通信端末３からコンテンツ識別情報を受信したことをトリガーにして、無料チャージ要求を送信する。別の言い方をすれば、指示送信部１０Ｅは、通信端末３からコンテンツ識別情報を受信した場合は、通信端末３から他の情報を受信しなくても、無料チャージ要求を即時に送信する。なお、通信端末３は、コンテンツ識別情報とともにＳＩＭカード４のＩＭＳＩ又はＭＳＩＳＤＮを送信しており、指示送信部１０Ｅは、当該ＩＭＳＩ又はＭＳＩＳＤＮを含む無料チャージ要求を送信する。これにより、ＭＶＮＯシステム１１は、どのＳＩＭカード４の通信容量を増やせばよいかを特定することができる。
【００４１】
なお、通信容量の増加量がコンテンツに関係なく固定値である場合には、無料チャージ要求に当該増加量が含まれていなくてもよいが、本実施形態では、無料チャージ要求に当該増加量が含まれているものとする。また、無料チャージの有効期間が特に定められていない場合には、無料チャージ要求に有効期間が含まれていなくてもよいが、後述する変形例のように、無料チャージの有効期間を定める場合には、無料チャージ要求に当該有効期間が含まれているものとする。
【００４２】
［実行結果受信部］
実行結果受信部１０Ｆは、ＳＩＭカード４の通信容量を増やすための処理の実行結果を受信する。実行結果は、無料チャージ処理の成功／失敗であり、例えば、無料チャージ処理が成功したことを示す第１の値、又は、無料チャージ処理が失敗したことを示す第２の値の何れかを取る実行結果情報が利用される。また、無料チャージ処理が失敗した場合には、失敗した原因を示すエラーコードが設定されていてもよい。本実施形態では、ＭＶＮＯシステム１１が無料チャージ処理を実行するので、実行結果受信部１０Ｆは、ＭＶＮＯシステム１１から実行結果情報を受信することになる。
【００４３】
［リクエスト代理送信部］
リクエスト代理送信部１０Ｇは、ウェブサイト提供システム１０内のサーバコンピュータの制御部及び通信部を主として実現される。リクエスト代理送信部１０Ｇは、コンテンツを管理する外部システム２に対し、通信端末３の代わりに、当該コンテンツのリクエストを送信する。コンテンツのリクエストは、通信プロトコルで定められた所定形式の情報によって行われるようにすればよく、例えば、ＨＴＴＰであれば「ＨＴＴＰ  ＧＥＴ  リクエスト」と呼ばれる要求であってよい。なお、「通信端末３の代わりに」とは、通信端末３が外部システム２と直接的に通信せず、通信端末３からの要求に従ってウェブサイト提供システム１０が代理で通信するという意味である。この点は、以降の説明でも同様である。
【００４４】
例えば、リクエスト代理送信部１０Ｇは、実行結果受信部１０Ｆが受信した実行結果情報が失敗を示していた場合は、コンテンツのリクエストを送信せず、実行結果受信部１０Ｆが受信した実行結果情報が成功を示していた場合に、コンテンツのリクエストを送信する。リクエスト代理送信部１０Ｇは、通信端末３から受信したコンテンツ識別情報に基づいて、ユーザが指定したコンテンツを管理する外部システム２を特定し、当該外部システム２に対し、コンテンツのリクエストを送信すればよい。
【００４５】
［レスポンス代理受信部］
レスポンス代理受信部１０Ｈは、ウェブサイト提供システム１０内のサーバコンピュータの制御部及び通信部を主として実現される。レスポンス代理受信部１０Ｈは、外部システム２から、通信端末３の代わりに、リクエストに対するレスポンスを受信する。コンテンツのレスポンスは、通信プロトコルで定められた所定形式の情報によって行われるようにすればよく、例えば、ＨＴＴＰであれば「ＨＴＴＰ  レスポンス」と呼ばれる応答であってよい。例えば、レスポンスには、コンテンツを表示させるためのデータ（例えば、ＨＴＭＬデータ、ＸＭＬデータ、画像データ、動画データ）が含まれているものとする。
【００４６】
［レスポンス送信部］
レスポンス送信部１０Ｉは、ウェブサイト提供システム１０内のサーバコンピュータの制御部及び通信部を主として実現される。レスポンス送信部１０Ｉは、通信端末３に対し、レスポンス代理受信部１０Ｈが通信端末３の代わりに受信したレスポンスを送信する。レスポンス送信部１０Ｉは、外部システム２から受信したレスポンスを通信端末３に転送することになる。このようにすれば、通信端末３が、ウェブサイト提供システム１０のサービスサイトのコンテンツ一覧から指定してコンテンツを取得する際の接続先は、サービスサイトのみとなり、外部システム２には直接接続しない。これにより、例えば、通信端末３におけるＳＩＭカード４の通信容量の残量がない場合で、網側でサービスサイト以外への接続が拒否されている場合でも、通信端末３は、サービスサイトを介してコンテンツにアクセスすることができる。即ち、例えば、ユーザは、通信容量の残量がない場合でも、通信端末３を操作することにより、サービスサイトのコンテンツ一覧に含まれる宿泊施設や飲食店、レジャー施設等の予約システムにアクセスして、施設予約などを行うことができる。
【００４７】
［１−３−２．ＭＶＮＯシステムにおいて実現される機能］
図３に示すように、ＭＶＮＯシステム１１では、データ記憶部１１Ａ、通信制限部１１Ｂ、及び通信容量増加部１１Ｃが実現される。
【００４８】
［データ記憶部］
データ記憶部１１Ａは、ＭＶＮＯシステム１１内のサーバコンピュータの記憶部を主として実現される。データ記憶部１１Ａは、ＭＶＮＯが提供する移動通信サービスに関する各種データを記憶する。ここでは、データ記憶部１１Ａが記憶するデータの一例として、ＳＩＭカード４の通信容量を管理する通信容量データベースを説明する。
【００４９】
例えば、通信容量データベースには、ＳＩＭカード４のＩＭＳＩ又はＭＳＩＳＤＮと、通信容量情報と、が関連付けられている。通信容量情報としては、例えば、ＳＩＭカード４の利用開始日や通信容量の残量を識別可能な情報などが格納される。なお、通信容量の残量そのものが通信容量データベースに格納されていてもよいし、通信容量の値と現在までの使用量との組み合わせが通信容量データベースに格納されていてもよい。
【００５０】
なお、データ記憶部１１Ａが記憶するデータは、上記の例に限られない。例えば、データ記憶部１１Ａは、ＳＩＭカード４を利用するユーザの基本情報に関するデータベースを記憶してもよい。また例えば、データ記憶部１１Ａは、ＳＩＭカード４のアクティベート状況に関するデータベースを記憶してもよい。
【００５１】
［通信制限部］
通信制限部１１Ｂは、ＭＶＮＯシステム１１内のサーバコンピュータの制御部を主として実現される。通信制限部１１Ｂは、ＳＩＭカード４の通信容量の残量が基準値未満になった場合に、ＳＩＭカード４を利用したデータ通信を制限する。基準値は、予め定められた値であればよく、例えば、０であってもよいし、０以上の所定値（例えば、数ｋＢ〜数ＭＢ程度）であってもよい。基準値は、予めデータ記憶部１１Ａに記憶されているものとする。
【００５２】
通信制御部は、通信容量データベースに基づいて、ＳＩＭカード４の通信容量の残量を特定する。そして、通信制御部は、特定した残量が基準値未満であるかを判定し、判定結果が肯定であればＳＩＭカード４を利用したデータ通信を制限する。データ通信の制限とは、データ通信そのものをさせないように禁止すること、データ通信はさせるが特定の接続先（例えば、アクティベーション用サイトやサービスサイトなどの所定のウェブサイト）しか接続させないようにすること、データ通信はさせるが通信速度を落とすことなどを意味する。
【００５３】
本実施形態では、通信制限部１１Ｂは、ＳＩＭカード４の通信容量の残量が基準値未満であったとしても、外部システム２が送信したレスポンスによってコンテンツを通信端末３に表示させるためのデータ通信は許可する。即ち、本実施形態では、通信端末３が外部システム２に対してリクエストを直接送信するのではなく、ウェブサイト提供システム１０が、通信端末３の代わりにリクエストを送信しているため（通信端末３は、あくまでサービスサイトにアクセスしているだけであり、コンテンツの送受信はウェブサイト提供システム１０が主体となって行っているため）、ＭＶＮＯシステム１１としてはＳＩＭカード４の通信容量を消費していないと判断することになる。このため、ＳＩＭカード４の通信容量の残量が基準値未満であったとしてもコンテンツの表示が可能となっている。
【００５４】
本実施形態では、通信制限部１１Ｂは、ＳＩＭカード４の通信容量の残量が基準値未満であったとしても、サービスサイトを通信端末３に表示させるためのデータ通信は許可する。即ち、通信端末３がサービスサイトに接続するためのリクエストを送信した場合は、ＭＶＮＯシステム１１としてはＳＩＭカード４の通信容量を消費していないと判断することになる。
【００５５】
［通信容量増加部］
通信容量増加部１１Ｃは、ＭＶＮＯシステム１１内のサーバコンピュータの制御部を主として実現される。通信容量増加部１１Ｃは、ＳＩＭカード４の通信容量を増加させる。通信容量増加部１１Ｃは、ウェブサイト提供システム１０から受信した無料チャージ要求に基づいて、ＳＩＭカード４の通信容量を増加させる。例えば、通信容量増加部１１Ｃは、無料チャージ要求に含まれるＩＭＳＩ又はＭＳＩＳＤＮを特定し、当該ＩＭＳＩ又はＭＳＩＳＤＮに関連付けられた通信容量が増加するように、通信容量データベースを更新する。通信容量増加部１１Ｃは、ＳＩＭカード４の通信容量を所定値だけ増加させてもよいし、後述する変形例のようにコンテンツに応じた値だけ増加させてもよい。
【００５６】
［１−４．実施形態１において実行される処理］
図４は、通信容量増加システム１において実行される処理の一例を示すフロー図である。図４に示す処理は、ウェブサイト提供システム１０内のサーバコンピュータ、ＭＶＮＯシステム１１内のサーバコンピュータ、外部システム２内のサーバコンピュータ、及び通信端末３の各々が、自身の記憶部に記憶されたプログラムに従って動作することによって実行される。下記に説明する処理は、図３に示す機能ブロックにより実行される処理の一例である。なお、図４に示す処理が実行されるにあたり、ＳＩＭカード４のアクティベートが完了しているものとする。
【００５７】
図４に示すように、まず、通信端末３は、ウェブサイト提供システム１０に対し、サービスサイトを表示させるためのリクエストを送信する（Ｓ１０１）。Ｓ１０１においては、ユーザがサービスサイトのリンクを指定した場合などに、当該リクエストが送信される。なお、通信端末３が通信をする際には、ウェブサイト提供システム１０に対し、ＩＭＳＩ又はＭＳＩＳＤＮといったＳＩＭカード４を識別するための情報が送信されるものとする。この点は、以降の処理においても同様である。
【００５８】
ウェブサイト提供システム１０は、リクエストを受信すると、サービスサイトの表示データを送信する（Ｓ１０２）。Ｓ１０２においては、先述したように、表示データそのものがウェブサイトデータベースに格納されている場合には、ウェブサイト提供システム１０は、当該表示データを読み出して送信し、表示データを生成するためのデータがウェブサイトデータベースに格納されている場合には、ウェブサイト提供システム１０は、当該データに基づいて表示データを生成して送信する。
【００５９】
通信端末３は、表示データを受信すると、サービスサイトを表示部に表示させる（Ｓ１０３）。Ｓ１０３においては、ユーザが入力した検索条件に基づいてコンテンツが検索される場合には、検索結果を示すコンテンツ一覧からユーザがコンテンツを指定することになる。なお、コンテンツ一覧を表示させるための表示データには、各コンテンツのコンテンツ識別情報が含まれているものとする。
【００６０】
コンテンツ一覧からユーザがコンテンツを指定すると、通信端末３は、ウェブサイト提供システム１０に対し、ユーザが指定したコンテンツのコンテンツ識別情報を含むリクエストを送信する（Ｓ１０４）。Ｓ１０４においては、通信端末３は、表示データに含まれるコンテンツ識別情報を参照し、ユーザが指定したコンテンツのコンテンツ識別情報を特定する。
【００６１】
ウェブサイト提供システム１０は、リクエストを受信すると、ＳＩＭカード４の通信容量を増やすか否かを判定する。例えば、ウェブサイト提供システム１０は、リクエストを送信してきた通信端末３におけるＳＩＭカード４が有効期限内であるか否か、通信容量がチャージ可能な最大量まで達しているか否かを判定する。ウェブサイト提供システム１０は、ＳＩＭカード４が有効期限内であると判定した場合、または、通信容量がチャージ可能な最大量まで達していると判定した場合には、ＳＩＭカード４の通信容量を増やさないと判定し、Ｓ１０５〜Ｓ１０７の処理を行わずにＳ１０８に進む。ウェブサイト提供システム１０は、ＳＩＭカード４が有効期限内であり、かつ、通信容量がチャージ可能な最大量まで達していない判定した場合には、ＭＶＮＯシステム１１に対し、ＳＩＭカード４の通信容量を増やすための指示である無料チャージ要求を送信する（Ｓ１０５）。なお、ウェブサイト提供システム１０とＭＶＮＯシステム１１との連携は、それぞれが提供するＡＰＩ経由で行われる場合には、無料チャージ処理を実行するための命令が無料チャージ要求に相当する。
【００６２】
ＭＶＮＯシステム１１は、無料チャージ要求を受信すると、ＳＩＭカード４の無料チャージ処理を実行する（Ｓ１０６）。Ｓ１０６においては、ＭＶＮＯシステム１１は、無料チャージ要求に含まれるＩＭＳＩ又はＭＳＩＳＤＮが示すＳＩＭカード４の通信容量が増加するように、通信容量データベースを更新する。
【００６３】
ＭＶＮＯシステム１１は、ウェブサイト提供システム１０に対し、無料チャージ処理の実行結果を示す実行結果情報を送信する（Ｓ１０７）。Ｓ１０７においては、ＭＶＮＯシステム１１は、Ｓ１０６の処理結果に基づいて、実行結果情報の内容を決定する。
【００６４】
ウェブサイト提供システム１０は、受信した実行結果情報に基づいて無料チャージ処理が成功したことを確認すると、ユーザが指定したコンテンツの外部システム２に対し、当該コンテンツのリクエストを送信する（Ｓ１０８）。Ｓ１０８においては、ウェブサイト提供システム１０は、Ｓ１０５で受信したリクエストに含まれるコンテンツ識別情報に基づいて、ユーザが指定したコンテンツを特定する。なお、実行結果情報が失敗を示していた場合にはリクエストを送信しないようにしてもよい。
【００６５】
外部システム２は、リクエストを受信すると、ウェブサイト提供システム１０に対し、ユーザが指定したコンテンツのレスポンスを送信する（Ｓ１０９）。ウェブサイト提供システム１０は、当該レスポンスを受信すると、通信端末３に対し、当該レスポンスを送信する（Ｓ１１０）。即ち、Ｓ１０８とＳ１１０の処理により、ウェブサイト提供システム１０は、通信端末３の代わりに、ユーザが指定したコンテンツのリクエストと、当該リクエストに対するレスポンスと、を行うことになる。
【００６６】
通信端末３は、レスポンスを受信すると、コンテンツを表示部に表示させ（Ｓ１１１）、本処理は終了する。例えば、コンテンツが広告の場合にはユーザは広告を閲覧し、コンテンツが記事の場合にはユーザは記事を閲覧することになる。Ｓ１０６で無料チャージ処理が実行されているので、ユーザは、無料チャージ処理により増加した通信容量を使用可能な状態となる。
【００６７】
実施形態１の通信容量増加システム１によれば、通信端末３のユーザがコンテンツを指定すると無料チャージ処理が実行されるので、ＳＩＭカード４の通信容量を増やす際のユーザの利便性を高めることができる。例えば、ＳＩＭカード４の通信容量を有料でチャージする場合には、ユーザが決済情報を入力するなどの手間が発生するが、通信容量増加システム１では、ユーザがコンテンツを閲覧すれば無料チャージが実行されるので、このような手間を省くことができる。また例えば、チャージを無料にすることでユーザが手軽に利用することができる。
【００６８】
また、ウェブサイト提供システム１０に、通信端末３の代わりに、コンテンツのリクエストの送信及びレスポンスの受信をさせることで、コンテンツを確実に表示させることができる。例えば、ＳＩＭカード４の通信容量の残量がなかったとしても、コンテンツを表示させることができる。また例えば、ウェブサイト提供システム１０が通信端末３の代わりにリクエストの送信及びレスポンスの受信をさせる場合に、ＳＩＭカード４の通信容量が減らないようにすれば、コンテンツを閲覧することで通信容量が減ってしまうことも防止できる。
【００６９】
また、通信容量の残量がなかったとしても、サービスサイトを表示させることができるので、ユーザの利便性を効果的に高めることができる。例えば、ＳＩＭカード４の通信容量がなくなった場合に一切のデータ通信機能を禁止すると、ユーザは、通信端末の無線ＬＡＮ機能等を利用してチャージせざるをえなくなり手間がかかってしまう、実施形態１の通信容量増加システム１によれば、ＳＩＭカード４のデータ通信機能を利用して無料チャージ処理が実行されるので、このような手間を省くことができる。
【００７０】
［２．実施形態２］
次に、通信容量増加システム１の別実施形態を説明する。実施形態１では、ウェブサイト提供システム１０が、通信端末３の代わりに、ユーザが指定したコンテンツのリクエストの送信とレスポンスの受信とを行う場合を説明したが、コンテンツのリクエストの送信とレスポンスの受信は、通信端末３が実行してもよい。以降説明する実施形態２では、実施形態１と共通の部分については説明を省略し、実施形態１と異なる部分を説明する。
【００７１】
図５は、実施形態２の機能ブロック図である。図５に示すように、実施形態２では、ウェブサイト提供システム１０において実行結果送信部１０Ｊが実現される。また、実施形態２では、実施形態１とは異なり、リクエスト代理送信部１０Ｇ、レスポンス代理受信部１０Ｈ、及びレスポンス送信部１０Ｉはウェブサイト提供システム１０に含まれない。
【００７２】
実行結果送信部１０Ｊは、ウェブサイト提供システム１０の制御部及び通信部を主として実現される。実行結果送信部１０Ｊは、通信端末３に対し、無料チャージ処理の実行結果を送信する。実行結果送信部１０Ｊは、実行結果受信部１０Ｆが受信した実行結果情報を通信端末３に転送することになる。
【００７３】
実施形態２におけるサービスサイトの表示データは、無料チャージ処理が成功したことを示す実行結果の受信に応じて、コンテンツを管理する外部システム２に対し、当該コンテンツのリクエストを送信するように設定されている。この設定は、表示データ内のスクリプトに定義されている。通信端末３は、表示データのスクリプトに基づいて、無料チャージ処理が成功したことを示す実行結果を受信した後に、リクエストを送信する。
【００７４】
例えば、表示データのスクリプトには、無料チャージ処理の成功を示す実行結果情報を受信したことに応じて、ユーザが指定したコンテンツの外部システム２に対し、当該コンテンツのリクエストを送信する旨の命令が記述されている。別の言い方をすれば、表示データのスクリプトには、無料チャージ処理の成功を示す実行結果情報を受信するまで、ユーザが指定したコンテンツのリクエストの送信を待機するように記述されている。なお、実施形態２の表示データは、各コンテンツのリンクを含んでいるものとする。これにより、通信端末３は、どの外部システム２に対してリクエストを送信すればよいかを特定可能となっている。
【００７５】
図６は、実施形態２の通信容量増加システム１において実行される処理の一例を示すフロー図である。図６に示すように、Ｓ２０１〜Ｓ２０７は、Ｓ１０１〜Ｓ１０７と同様である。ただし、Ｓ２０４において送信されるリクエストは、無料チャージ処理のリクエストであり、当該リクエストには、コンテンツ識別情報が含まれていなくてもよい。即ち、実施形態２では、ウェブサイト提供システム１０は、サービスサイトのコンテンツ一覧の中のサムネイルが指定されたことさえ特定できればよいため、コンテンツ識別情報がウェブサイト提供システム１０に送信される必要はない。また、通信端末３は、Ｓ２０３で受信した表示データ内のスクリプトに基づいて、Ｓ２０４の処理を実行した後は、無料チャージ処理が成功したことを示す実行結果情報を受信するまで、次の処理（Ｓ２０９の処理）を待機する。
【００７６】
ウェブサイト提供システム１０は、実行結果情報を受信すると、通信端末３に対し、当該実行結果情報を送信する（Ｓ２０８）。即ち、ウェブサイト提供システム１０は、受信した実行結果情報を通信端末３に転送する。
【００７７】
通信端末３は、実行結果情報を受信すると、受信した実行結果情報に基づいて無料チャージ処理が成功したことを確認し、ユーザが指定したコンテンツの外部システム２に対し、当該コンテンツのリクエストを送信する（Ｓ２０９）。なお、実行結果情報が失敗を示していた場合にはリクエストは送信されない。外部システム２は、リクエストを受信すると、通信端末３に対し、ユーザが指定したコンテンツのレスポンスを送信する（Ｓ２１０）。通信端末３は、レスポンスを受信すると、コンテンツを表示部に表示させ（Ｓ２１１）、本処理は終了する。
【００７８】
実施形態２の通信容量増加システム１によれば、無料チャージ処理の成功したことを通信端末３が受信した後に、ユーザが指定したコンテンツのリクエストの送信及びレスポンスの受信が行われるので、より確実にコンテンツを表示させることができる。更に、無料チャージ処理が完了していないにもかかわらず、通信端末３が外部システム２に対してリクエストを送信してしまい、データ通信機能の制限によってコンテンツが表示されないといったことを防止することができる。これにより、無駄なリクエストの送信を防止できるので、ネットワークの通信負荷や外部システム２の処理負荷を軽減することもできる。
【００７９】
［３．変形例］
なお、本発明は、以上に説明した実施形態に限定されるものではない。本発明の趣旨を逸脱しない範囲で、適宜変更可能である。
【００８０】
（１）図７は、変形例における機能ブロック図である。図７に示すように、以降説明する変形例では、最大値設定部１０Ｋ、判定部１０Ｌ、及び指示制限部１０Ｍが実現される。これら各機能は、ウェブサイト提供システム１０において実現される。なお、図７では、実施形態１の機能に加えて、最大値設定部１０Ｋ、判定部１０Ｌ、及び指示制限部１０Ｍが実現される場合を示しているが、実施形態２の機能に加えて、最大値設定部１０Ｋ、判定部１０Ｌ、及び指示制限部１０Ｍが実現されてもよい。
【００８１】
最大値設定部１０Ｋは、ウェブサイト提供システム１０のサーバコンピュータの制御部を主として実現される。最大値設定部１０Ｋは、所定期間内における通信容量の増加量に最大値を設定する。最大値とは、チャージ可能な最大容量である。所定期間は、予め定められた期間であればよく、例えば、１日であってもよいし、数日、数週間、又は数か月程度の単位であってもよい。最大値は、固定値であってもよいし、可変値であってもよい。
【００８２】
判定部１０Ｌは、ウェブサイト提供システム１０のサーバコンピュータの制御部を主として実現される。判定部１０Ｌは、所定期間内における通信容量の増加量が最大値に達したかを判定する。判定部１０Ｌは、無料チャージ処理の実行結果に基づいて、所定期間内における通信容量の増加量を特定し、当該増加量が最大値に達したかを判定する。なお、通信容量が増加した日時及び通信容量の増加量は、データ記憶部１０Ａ又はデータ記憶部１１Ａに履歴として残しておけばよい。
【００８３】
指示制限部１０Ｍは、ウェブサイト提供システム１０のサーバコンピュータの制御部を主として実現される。指示制限部１０Ｍは、判定部１０Ｌにより最大値に達したと判定された場合に、指示送信部１０Ｅによる無料チャージ要求を制限する。指示制限部１０Ｍは、判定部１０Ｌにより最大値に達したと判定された場合に、指示送信部１０Ｅが無料チャージ要求を送信することを禁止する。
【００８４】
変形例（１）によれば、無料チャージによる通信容量の増加量に制限を設けることができるので、不当に通信容量が多くなってしまうことを防止できる。これにより、無駄な無料チャージ処理が実行されなくなるので、ウェブサイト提供システム１０とＭＶＮＯシステム１１の処理負荷を軽減することもできる。
【００８５】
（２）また例えば、最大値設定部１０Ｋは、所定期間よりも前の期間内におけるＳＩＭカード４の使用状況に基づいて、通信容量の増加量の最大値を設定するようにしてもよい。所定期間よりも前の期間は、例えば、所定期間の前日、直近の数日、数週間、又は数か月といった期間であってもよい。使用状況とは、通信容量の消費量であり、データ通信量である。使用状況と最大値の関係は、数式形式又はテーブル形式でデータ記憶部１０Ａに記憶されていればよい。例えば、最大値設定部１０Ｋは、通信容量の消費量が少ないほど最大値を高く設定してもよいし、これとは逆に、通信容量の消費量が多いほど最大値を高く設定してもよい。
【００８６】
変形例（２）によれば、所定期間よりも前の期間内におけるＳＩＭカード４の使用状況が無料チャージによる通信容量の増加量に影響するので、ユーザの使用状況に応じた通信容量を設定することができ、ユーザの利便性を効果的に向上させることができる。
【００８７】
（３）また例えば、コンテンツに応じて無料チャージによる通信量の増加量を変更してもよい。例えば、データ記憶部１０Ａは、コンテンツと通信容量の増加量との関係に関するデータを記憶し、ウェブサイト提供システム１０は、ユーザが指定したコンテンツと上記関係とに基づいて、通信容量の増加量を決定してもよい。指示送信部１０Ｅは、当該決定した増加量を示す情報含む無料チャージ要求を送信することになる。例えば、コンテンツの価値、データサイズ、動画の長さなどに応じて、無料チャージ処理による通信容量の増加量が決まってもよい。
【００８８】
またここでは、例えば複数のキャンペーンコードを設け、キャンペーンコードにより、異なるコンテンツを用意したり、同一のコンテンツについて異なる通信容量の増加量を定めておいたりすることもできる。例えば、カード会社のキャンペーンとしてＳＩＭカード４を配布する場合は、相対的にショッピング施設に関するコンテンツの種類を多くして通信容量の増加量も多くしたり、旅行会社のキャンペーンとしてＳＩＭカード４を配布する場合は、相対的にホテル施設やレジャー施設に関するコンテンツを多くして通信容量の増加量も多くしたりすることができる。この場合、例えばユーザにＳＩＭカード４を郵送する際に、郵送物の中にそのＳＩＭカード４に対応するキャンペーンコードを記載しておき、ユーザがＳＩＭカード４をアクティベーションする際に、アクティベーションサイトにてキャンペーンコードの入力を受け付けることができる。
【００８９】
また例えば、コンテンツは、広告や記事などのウェブサイトに限られず、クーポンであってもよい。この場合、クーポンを利用したことを条件として無料チャージが実行されるようにしてもよい。クーポンが利用されたか否かを示す情報は、外部システム２から取得されるようにすればよい。また例えば、変形例（１）及び（２）で説明した所定期間における無料チャージの最大量は、ＭＶＮＯがユーザに提供するキャンペーンの内容に応じて変わってもよい。また例えば、利用済みのコンテンツはもう一度表示させても無料チャージが実行されないようにしてもよいし、所定時間経過後（例えば、翌日）になった場合に再び無料チャージが可能となってもよい。
【００９０】
また例えば、上述の例では、ウェブサイト提供システム１０が通信端末３からコンテンツ識別情報を受信した場合に、まずＭＶＮＯシステム１１に対する無料チャージ要求を行い、後に外部システム２からコンテンツを取得する例を示したが、まず外部システム２からコンテンツを取得し、後にＭＶＮＯシステム１１に対する無料チャージ要求を行うようにしてもよい。この場合、例えば、コンテンツである動画広告を通信端末３に送信し、通信端末３において動画広告を最後まで再生されたことをもって、無料チャージ要求を行うようにしてもよい。
【００９１】
また例えば、上述の例において、通信端末３がウェブサイト提供システム１０に接続する際には、いわゆるインターネットブラウザの機能を用いてアクセスしてもよいし、専用のネイティブアプリを用意してダウンロードし、このネイティブアプリにより動作してアクセスするようにしてもよい。
【００９２】
また例えば、通信容量増加システム１の各機能のうち、接続要求受信部１０Ｂ、表示データ送信部１０Ｃ、識別情報受信部１０Ｄ、及び指示送信部１０Ｅ以外の機能は省略してもよい。また、通信容量増加システム１にウェブサイト提供システム１０とＭＶＮＯシステム１１が含まれている場合を説明したが、通信容量増加システム１は、複数のシステムが含まれている必要はなく、１台のサーバコンピュータで実現されてもよい。また例えば、ＭＶＮＯシステム１１は、通信容量増加システム１の外部に存在してもよい。また例えば、外部システム２が存在せず、通信容量増加システム１の内部でコンテンツが管理されていてもよい。
【符号の説明】
【００９３】
１  通信容量増加システム、２  外部システム、３  通信端末、Ｃ  コンテンツ画面、１０  ウェブサイト提供システム、１０Ａ  データ記憶部、１０Ｂ  接続要求受信部、１０Ｃ  表示データ送信部、１０Ｄ  識別情報受信部、１０Ｅ  指示送信部、１０Ｆ  実行結果受信部、１０Ｇ  リクエスト代理送信部、１０Ｈ  レスポンス代理受信部、１０Ｉ  レスポンス送信部、１０Ｊ  実行結果送信部、１０Ｋ  最大値設定部、１０Ｌ  判定部、１０Ｍ  指示制限部、１１  ＭＶＮＯシステム、１１Ａ  データ記憶部、１１Ｂ  通信制限部、１１Ｃ  通信容量増加部。
【図１】
2019012969.tif 000003
【図２】
2019012969.tif 000004
【図３】
2019012969.tif 000005
【図４】
2019012969.tif 000006
【図５】
2019012969.tif 000007
【図６】
2019012969.tif 000008
【図７】
2019012969.tif 000009